(57)【要約】      （修正有）【課題】自由な発想で装飾でき、好きな絵や文字でレイアウトすることが可能な、しかも使用時に火災が起こりづらい安全な行灯を提供する。【解決手段】上枠３と縦枠１そして下枠４とで光透過板囲部２を形成して、該光透過板囲部に臨む内面に形成した差込溝に光透過板を二枚差し２込めるようにする。上記の光透過板間に装飾紙を挟み込み、好きな絵や文字、それに付随する自由な発想でレイアウトすることが可能とする。また、側面の光透過板囲部が差し込み可能なことにより、そこから蝋燭を入れることが出来、また蝋燭を置くための囲い枠を設けてあるため、蝋燭の転倒を防ぎ、また使用者の火傷等の怪我を負う可能性を下げることが可能となる。【選択図】図１
0003152507.tif 000002
【実用新案登録請求の範囲】
【請求項１】
行灯側面部と行灯底面部とから成る行灯であって、上枠と縦枠そして下枠とで光透過板囲部を形成して、該光透過板囲部に臨む内面に形成した差込溝に光透過板を差し込んで成り、行灯底面部は、四角筒状に組み立てた前記行灯側面部の対向した下枠に乗る長さに形成してなることを特徴とする行灯。
【請求項２】
前記行灯において、行灯底面部中央箇所に、蝋燭をおける囲い枠を設けたことを特徴とする請求項１に記載の行灯。
【請求項３】
前記行灯において、行灯底面部中央箇所に、電球を装着できるソケットを設けたことを特徴とする請求項１に記載の行灯。
【請求項４】
前記行灯において、少なくとも一以上の差し込み溝に光透過板が二枚差し込み可能となっており、該二枚の光透過板間に好きな絵や文字等の装飾紙を挟み込むことで、自由な発想でレイアウトすることが出来ることを特徴とする請求項１〜請求項３に記載の行灯。
【請求項５】
前記光透過板が透明又は半透明の合成樹脂板、またはアクリル板であることを特徴とする請求項１〜請求項４に記載の行灯。
【考案の詳細な説明】
【技術分野】
【０００１】
本考案は、飲食店及びその他の店舗のテーブルに置いたり、一般家庭の憩いの場所に使用する行灯に関する。
【背景技術】
【０００２】
日本では一般的に行灯の装飾等は、供給先にて決定され限定されていることが多く、自由性が乏しかった。また蝋燭を立てて明かりを灯す行灯は、光を得るための蝋燭の炎によって、転倒したとき火災が起こり易いという難点があった。
【特許文献１】登録実用新案第３１１７７２７号  公報登録実用新案第３１２０１２９号  公報
【考案の開示】
【考案が解決しようとする課題】
【０００３】
行灯の装飾等は、供給先にて決定され限定されていることが多く、自由性が乏しいという難点があった。また蝋燭を立てて明かりを灯す行灯は、光を得るための蝋燭の炎によって、転倒したとき火災が起こり易いという難点があった。
そこで本考案は、行灯の使用者が自由な発想で装飾することが可能な、そして火災が起こりづらい安全な行灯を提供することを目的とする。
【課題を解決するための手段】
【０００４】
上記課題を解決するために本考案の行灯における考案は、上枠と縦枠そして下枠とで光透過板囲部を形成して、該光透過板囲部に臨む内面に形成した差込溝に光透過板を差し込んで成り、光透過板を二枚差し込めるようにしてあることによって、好きな絵や文字、それに付随する自由な発想でレイアウトすることが可能となる。
【０００５】
本考案の行灯は、側面の光透過板囲部が差し込み可能なことにより、そこから蝋燭を入れることが出来、また蝋燭を置くための囲い枠を設けてある。
以上のことにより、蝋燭の転倒を防ぎ、また  使用者の火傷等の怪我を負う可能性を下げることが可能となる。
【０００６】
本考案の行灯で使用する光透過板は難燃性なので、容易には燃えないため火災に対しての安全性を高められる。
【０００７】
本考案の行灯は、前記光透過板が透明又は半透明の合成樹脂板、またはアクリル板であることを特徴とする。
【考案の効果】
【０００８】
本考案の行灯は、光透過板を二枚差し込めるようにしてあることによって、好きな絵や文字、それに付随する自由な発想でレイアウトすることが可能となる。
また、側面の光透過板囲部が差し込み可能なことにより、そこから蝋燭を入れることが出来、蝋燭を置くための囲い枠を設けてあるため、蝋燭の転倒を防ぎ、使用者の火傷等の怪我を負う可能性を下げることが可能となる。
本考案の行灯で使用する光透過板は難燃性なので、容易には燃えないため火災に対しての安全性を高められる。
したがって、行灯を使用者への装飾の自由と安全性を確保することが可能となる。
【考案を実施するための最良の形態】
【０００９】
本考案の祖立式行灯を実施するための最良の形態を説明する。
本考案は、図１及び図２に示すように、行灯側面部と行灯底面部とから成る行灯である。
【００１０】
前記行灯側面部は、図１及び図２に示すように、光透過板囲部を形成して、該光透過板囲部に臨む内面に形成した差込溝に光透過板を差し込んで作られる。
【００１１】
また、行灯底面部は、図１及び図２に示すように、四角筒状に組み立てた前記行灯側面部の対向した下枠に乗る長さに形成してなる。
【００１２】
使用する枠材は杉や桧などの国産木材とすれば風情があって好ましい。木材は癒し効果に優れ、間伐材を活用することにより、地球に優しくエコロジーな商品としても最適である。
【００１３】
前記光透過板は、透明又は半透明のアクリル板とすることが可能である。
こうすると、全体で光の透過が可能であり且つ合成樹脂板、またはアクリル板は耐候性があり高い強度を有する。またガラスのように割れないので安全である。
また、無可塑硬質塩化ビニル板などの塩ビ樹脂板は、耐久性、耐熱性及び難燃性素材を備えたものもあり、これらの透明又は半透明の脂板板も使用することができる。
二枚の光透過板間に挟み込む装飾紙は、デザインを印刷することも容易である。
例えば、絵はがきをプリントしたり、好きな文字を描いたり、背景の柄印刷などもでき、自由な発想でレイアウトすることが可能となる。
【産業上の利用可能性】
【００１４】
本考案は、飲食店及びその他の店舗のテーブルに置いたり、一般家庭の憩いの場所に使用する行灯であるが、その他様々なシチュエーションの灯明として使用することも可能である。
【図面の簡単な説明】
【００１５】
【図１】が、燭台タイプの上から見た図、（ロ）が、燭台タイプの側面図である。（ハ）が、燭台タイプの下から見た図、（ニ）が、燭台タイプの斜図である。
【図２】（ホ）が、電灯タイプの上から見た図、（ヘ）が、電灯タイプの側面図である。（ト）が、電灯タイプの下から見た図、（チ）が、電灯タイプの斜図である。
【符号の説明】
【００１６】
１     縦枠
２     光透過板囲部
３     上枠
４     下枠
５     燭台
６     ソケット
【図１】
0003152507.tif 000003
【図２】
0003152507.tif 000004
【手続補正書】
【提出日】平成21年4月16日(2009.4.16)
【手続補正１】
【補正対象書類名】実用新案登録請求の範囲
【補正対象項目名】全文
【補正方法】変更
【補正の内容】
【実用新案登録請求の範囲】
【請求項１】
行灯側面部と行灯底面部とから成る行灯であって、上枠と縦枠そして下枠とで光透過板囲部を形成して、該光透過板囲部に臨む内面に形成した差込溝に光透過板を差し込んで成り、
行灯底面部は、四角筒状に組み立てた前記行灯側面部の対向した下枠に乗る長さに形成してなることを特徴とする行灯。
【請求項２】
前記行灯において、行灯底面部中央箇所に、蝋燭をおける囲い枠を設けたことを特徴とする請求項１に記載の行灯。
【請求項３】
前記行灯において、行灯底面部中央箇所に、電球を装着できるソケットを設けたことを特徴とする請求項１に記載の行灯。
【請求項４】
前記行灯において、少なくとも一以上の差し込み溝に光透過板が二枚差し込み可能となっており、該二枚の光透過板間に好きな絵や文字等の装飾紙を挟み込むことで、自由な発想でレイアウトすることが出来ることを特徴とする請求項１〜請求項３のいずれか１項目に記載の行灯。
【請求項５】
前記光透過板が透明又は半透明の合成樹脂板、またはアクリル板であることを特徴とする請求項１〜請求項４のいずれか１項目に記載の行灯。